(57)【要約】【課題】制御ケーブルを保護カバーで覆う簡単な作業で、エレベータの据付工事の際の溶接作業のときに発生する溶接火花から制御ケーブルを保護することができ、エレベータの据付工事の作業効率を向上させることができる。【解決手段】この発明に係る制御ケーブルの保護装置は、エレベータの制御ケーブル１０の周囲を囲んで覆う耐火性の保護カバー１１と、この保護カバー１１を外側から弾性力で締め付けて前記制御ケーブル１０に止める止め金具１２とを備えている。【選択図】図３
2009208907.tif 000002
【特許請求の範囲】
【請求項１】
エレベータの制御ケーブルの周囲を囲んで覆う耐火性の保護カバーと、
この保護カバーを外側から弾性力で締め付けて前記制御ケーブルに止める止め金具とを備えたことを特徴とする制御ケーブルの保護装置。
【請求項２】
上下方向に隣接した複数の前記保護カバーは、互いに上下方向の端部同士が重なることを特徴とする請求項１に記載の制御ケーブルの保護装置。
【請求項３】
長方形状の前記保護カバーは、各コーナ部に、互いに着脱可能な面ファスナーが対向して設けられていることを特徴とする請求項１または２に記載の制御ケーブルの保護装置。
【請求項４】
前記止め金具は、開口部が狭小で弾性変形可能な金属部材であることを特徴とする請求項１〜３の何れか１項に記載の制御ケーブルの保護装置。
【発明の詳細な説明】
【技術分野】
【０００１】
この発明は、かごの運転を制御する制御盤から導出した制御ケーブルをエレベータの据付期間中において焼損等から保護する制御ケーブルの保護装置に関するものである。
【背景技術】
【０００２】
従来、制御ケーブルは、露出されたままの状態のときには、エレベータの据付工事の際、例えばレールブラケットの溶接作業のときの火の粉の飛散により焼損することが起こり得る。
このような不具合を解消するために、溶接固定されるレールブラケットの下方に位置するガイドレールの周囲を取り囲むように耐火シートを配置するものが知られている（例えば、特許文献１参照）。
【０００３】
【特許文献１】特開２００６−１８２４８４号公報（図２）
【発明の開示】
【発明が解決しようとする課題】
【０００４】
しかしながら、このものの場合、溶接作業の度に耐火シートを布設する必要性があり、しかも耐火シートの取り付けに時間が要し、エレベータの据付工事の作業効率が悪いという問題点があった。
【０００５】
この発明は、上記のような問題点を解決することを課題とするものであって、制御ケーブルを保護カバーで覆う簡単な作業で、エレベータの据付工事の際の溶接作業のときに発生する溶接火花から制御ケーブルを保護することができ、エレベータの据付工事の作業効率を向上させることができる制御ケーブルの保護装置を得ることを目的とする。
【課題を解決するための手段】
【０００６】
この発明に係る制御ケーブルの保護装置は、エレベータの制御ケーブルの周囲を囲んで覆う耐火性の保護カバーと、この保護カバーを外側から弾性力で締め付けて前記制御ケーブルに止める止め金具とを備えている。
【発明の効果】
【０００７】
この発明に係る制御ケーブルの保護装置によれば、制御ケーブルを保護カバーで覆う簡単な作業で、エレベータの据付工事の際の溶接作業のときに発生する溶接火花から制御ケーブルを保護することができ、エレベータの据付工事の作業効率を向上させることができる。
【発明を実施するための最良の形態】
【０００８】
実施の形態１．
図１はこの発明の実施の形態の制御ケーブルの保護装置が取り付けられる前のエレベータの概略平断面図、図２は図１のエレベータの要部斜視図である。
このトラクション方式のエレベータでは、昇降路１内を、かご２と、このかご２とロープ（図示せず）を介して連結された釣り合いおもり３とが昇降する。
かご２は、かご本体４と、このかご本体４を支持するかご枠５とを備えている。
【０００９】
かご２は、昇降路１の壁面に沿って上下方向に延びた一対のかごレール６に案内されて昇降する。このかごレール６は、レールブラケット７を介して昇降路１の壁面に固定されている。レールブラケット７は、所定の間隔をあけて複数個昇降路１の壁面に固定されている。一方のかごレール６には、水平方向に延びたクランク形状の吊り手９の基端部が固定されている。この吊り手９の先端部には、昇降路１の上端部に機械室（図示せず）の制御盤（図示せず）からかご２に至る制御ケーブル１０が固定されている。
【００１０】
図３はこの実施の形態の制御ケーブルの保護装置を示す斜視図である。
制御ケーブル１０は、全長２〜３メートルであり耐火性の材質で構成された複数の保護カバー１１で全周が覆われている。保護カバー１１は、細長の長方形をした布状であり、両側端部が重なるように円筒形状に曲げ、所定の間隔をあけて図４に示す止め金具１２を用いて周囲から締め付けることで制御ケーブル１０に止められる。止め金具１２は、開口部が狭小で弾性変形可能な金属部材で構成されている。
各保護カバー１１の各コーナ部には、互いに対向する面ファスナー１３が取り付けられている。上下方向に隣接した保護カバー１１の上下端部は、互いに重なっている。
【００１１】
この実施の形態では、エレベータの据付工事において、レールブラケット７に溶接によりかごレール６を固定する前に、複数の保護カバー１１を用いて制御ケーブル１０の全周を覆い、また各一対の面ファスナー１３を接着した後、止め金具１２を用いて保護カバー１１を制御ケーブル１０に止める。
この止め金具１２については、制御ケーブル１０に対して同一方向から押し込むことで、止め金具１２の弾性力で保護カバー１１の周囲から締め付けられ、保護カバー１１は制御ケーブル１０に自動的に止められる。
この後、レールブラケット７に溶接作業でかごレール６を固定する。この溶接作業の際には、溶接火花が発生するものの、制御ケーブル１０は、保護カバー１１で保護され、焼損することはない。
エレベータの据付工事が完了した後は、止め金具１２を取り外し、また接着した各一対の面ファスナー１３を外すことで、制御ケーブル１０から保護カバー１１は取り外される。
【００１２】
以上説明したように、この実施の形態による制御ケーブルの保護装置によれば、エレベータの制御ケーブル１０の周囲を囲んで覆う耐火性の保護カバー１１と、この保護カバー１１を外側から弾性力で締め付けて制御ケーブル１０に止める止め金具１２とを備えたので、制御ケーブル１０を保護カバー１１で覆う簡単な作業で、エレベータの据付工事の際の溶接作業のときに発生する溶接火花から制御ケーブル１０を保護することができ、また据付工事の作業効率を向上させることができる。
【００１３】
また、上下方向に隣接した複数の保護カバー１１は、互いに上下方向の端部同士を重ねることで、溶接火花から制御ケーブル１０を確実に保護することができる。
また、保護カバー１１の長さは、２〜３メートルであり、制御ケーブル１０に保護カバー１１を覆う作業を円滑に進めることができる。
【００１４】
また、長方形状の保護カバー１１は、各コーナ部に、着脱可能な面ファスナー１３が互いに対向して設けられているので、コーナ部同士は簡単に着脱することができる。
【００１５】
また、止め金具１２は、開口部が狭小で弾性変形可能な金属部材で構成されているので、止め金具１２を一方向から押し込むことで、止め金具１２は開口部を通じて保護カバー１１に簡単に止められる。
また、止め金具１２を一方向に引き出すことで、止め金具１２は開口部を通じて保護カバー１１から簡単に取り外される。
【００１６】
なお、上記実施の形態では、制御ケーブル１０の全周を保護カバー１１で覆ったが、レールブラケット７の溶接部位側に面する制御ケーブル１０の側のみを保護カバーで覆ってもよい。
【図面の簡単な説明】
【００１７】
【図１】制御ケーブルの保護装置が取り付けられる前のエレベータの概略平断面図である。
【図２】図１のエレベータの要部斜視図である。
【図３】この発明の実施の形態の制御ケーブルの保護装置を示す部分斜視図である。
【図４】図３の止め金具の斜視図である。
【図５】図３の保護カバーの下端部の斜視図である。
【図６】図３の保護カバーの上端部の斜視図である。
【符号の説明】
【００１８】
１  昇降路、２  かご、６  かごレール、７  レールブラケット、１０  制御ケーブル、１１  保護カバー、１２  止め金具、１３  面ファスナー。
【図１】
2009208907.tif 000003
【図２】
2009208907.tif 000004
【図３】
2009208907.tif 000005
【図４】
2009208907.tif 000006
【図５】
2009208907.tif 000007
【図６】
2009208907.tif 000008